(57)【要約】【課題】指紋センサの動作の可否を表示することでユーザの利便性を向上させることのできる情報処理装置を提供する。【解決手段】指紋センサ２０の使用の可否に応じて指紋センサインジケータＬＥＤ２２の表示形態を変化させる制御を行うと共に、指紋センサ２０の使用が可能である状態でかつ、指紋センサ２０への認証入力がされた場合は、認証入力を判別し、認証入力が照合された場合は、認証可否通知ＬＥＤ２３の表示形態を変化させる制御を行う。【選択図】      図１
2010102718.tif 000002
【特許請求の範囲】
【請求項１】
情報処理装置であって、
筐体と、
前記筐体に搭載された、指紋データを読み取るための指紋センサと、
前記筐体に搭載された第１の表示部であって、前記情報処理装置が起動しているか否かに関わらず、前記指紋センサによる認証が可能な状態であることを示す第１の表示形態で表示する第１の表示部と、
前記指紋センサにより読み取られた指紋データに基づいて、前記認証の成否を判定する認証手段と、
前記情報処理装置が起動しておらず、前記表示部が前記第１の表示形態で表示しているときに、前記認証手段による前記認証が成功した場合、前記情報処理装置を起動させる起動手段と、を具備することを特徴とする情報処理装置。
【請求項２】
請求項１に記載の情報処理装置において、
前記第１の表示部は、前記指紋センサによる認証が不可能な状態であることを示す第２の表示形態で表示することを特徴とする情報処理装置。
【請求項３】
請求項１に記載の情報処理装置において、
前記筐体に搭載された第２の表示部をさらに具備し、
前記認証手段による前記認証が成功した場合、前記第２の表示部は、前記認証が成功したことを示す第３の表示形態で表示することを特徴とする情報処理装置。
【請求項４】
請求項３に記載の情報処理装置において、
前記認証手段による前記認証が失敗した場合、前記第２の表示部は、前記認証が失敗したことを示す第４の表示形態で表示することを特徴とする情報処理装置。
【請求項５】
情報処理装置であって、
筐体と、
前記筐体に搭載された、指紋データを読み取るための指紋センサと、
前記筐体に搭載された第１の表示部であって、前記情報処理装置が起動していないときに、前記指紋センサによる認証が可能な状態であることを示す第１の表示形態で表示する第１の表示部と、
前記指紋センサにより読み取られた指紋データに基づいて、前記認証の成否を判定する認証手段と、
前記表示部が前記第１の表示形態で表示しているときに、前記認証手段による前記認証が成功した場合、前記情報処理装置を起動させる起動手段と、を具備することを特徴とする情報処理装置。
【請求項６】
請求項５に記載の情報処理装置において、
前記第１の表示部は、前記指紋センサによる認証が不可能な状態であることを示す第２の表示形態で表示することを特徴とする情報処理装置。
【請求項７】
請求項５に記載の情報処理装置において、
前記筐体に搭載された第２の表示部をさらに具備し、
前記認証手段による前記認証が成功した場合、前記第２の表示部は、前記認証が成功したことを示す第３の表示形態で表示することを特徴とする情報処理装置。
【請求項８】
請求項７に記載の情報処理装置において、
前記認証手段による前記認証が失敗した場合、前記第２の表示部は、前記認証が失敗したことを示す第４の表示形態で表示することを特徴とする情報処理装置。
【発明の詳細な説明】
【技術分野】
【０００１】
本発明は、指紋センサを備えた情報処理装置の制御技術に係り、特に指紋センサの動作状態を表示装置に表示することが可能な情報処理装置に関する。
【背景技術】
【０００２】
一般に、指紋センサを備えたパーソナルコンピュータ等では、指紋認証を行うことによってパーソナルコンピュータの使用を許可するか否かの判別を行っている。また、指紋認証が適合するまでは、パーソナルコンピュータを使用することができないため、例えば、特許文献１では、指紋認証の可否を表示するＬＥＤの表示デバイスを備えており、指紋認証の一致または不一致をＬＥＤに表示する技術が開示されている。
【先行技術文献】
【特許文献】
【０００３】
【特許文献１】特開２０００−３１５１２０号公報
【発明の概要】
【発明が解決しようとする課題】
【０００４】
しかしながら、特許文献１に記載された技術では、指紋認証を行う前の状態、すなわち、パーソナルコンピュータを使用することができない状態において、指紋センサが動作しているか否かを把握することができない。このため、一度、指紋センサに指をスワイプする等の動作を行うまでは指紋センサが動作しているか否かを把握できない。
【０００５】
そこで、本発明は、指紋センサの動作の可否等を表示することでユーザの利便性を向上させることのできる情報処理装置を提供することを目的とする。
【課題を解決するための手段】
【０００６】
上述した課題を解決するために、本発明の一態様によれば、情報処理装置であって、筐体と、前記筐体に搭載された、指紋データを読み取るための指紋センサと、前記筐体に搭載された第１の表示部であって、前記情報処理装置が起動しているか否かに関わらず、前記指紋センサによる認証が可能な状態であることを示す第１の表示形態で表示する第１の表示部と、前記指紋センサにより読み取られた指紋データに基づいて、前記認証の成否を判定する認証手段と、前記情報処理装置が起動しておらず、前記表示部が前記第１の表示形態で表示しているときに、前記認証手段による前記認証が成功した場合、前記情報処理装置を起動させる起動手段とを具備することを特徴とする情報処理装置を提供する。
【０００７】
また、本発明の別の一態様によれば、情報処理装置であって、筐体と、前記筐体に搭載された、指紋データを読み取るための指紋センサと、前記筐体に搭載された第１の表示部であって、前記情報処理装置が起動していないときに、前記指紋センサによる認証が可能な状態であることを示す第１の表示形態で表示する第１の表示部と、前記指紋センサにより読み取られた指紋データに基づいて、前記認証の成否を判定する認証手段と、前記表示部が前記第１の表示形態で表示しているときに、前記認証手段による前記認証が成功した場合、前記情報処理装置を起動させる起動手段とを具備することを特徴とする情報処理装置を提供する。
【発明の効果】
【０００８】
本発明によれば、指紋センサの動作の可否を表示することでユーザの利便性を向上させることのできる情報処理装置を提供することができる。
【図面の簡単な説明】
【０００９】
【図１】本発明の一実施形態に係る情報処理装置の外観を示す図。
【図２】同実施形態に係る情報処理装置の主要な構成を示すブロック図。
【図３】同実施形態に係る指紋センサＩＣの主要な構成を示すブロック図。
【図４】同実施形態に係る情報処理装置の表示制御手順を説明するためのフローチャート。
【図５】同実施形態に係る情報処理装置のＬＥＤの表示形態を説明するための概念図。
【図６】同実施形態に係る情報処理装置のＬＥＤの表示形態を説明するための概念図。
【図７】同実施形態に係る情報処理装置の表示制御手順を説明するためのフローチャート。
【発明を実施するための形態】
【００１０】
以下、本発明の実施形態について図面を参照しながら説明する。
【００１１】
まず、図１および図２を参照して、本発明の一実施形態に係るコンピュータの構成について説明する。この情報処理装置は、例えば、ノートブック型パーソナルコンピュータ１０として実現されている。
【００１２】
図１は、ノートブック型パーソナルコンピュータ１０のディスプレイユニットを開いた状態における斜視図である。本コンピュータ１０は、コンピュータ本体１１と、ディスプレイユニット（蓋部）１２とから構成されている。ディスプレイユニット１２には、ＬＣＤ（Liquid Crystal Display）１７から構成される表示装置が組み込まれており、そのＬＣＤ１７の表示画面は、ディスプレイユニット１２のほぼ中央に位置されている。
【００１３】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１０を電源オン／オフするためのパワーボタン１４、入力操作パネル１５、ＤＶＤ再生ソフトウェア起動ボタン１５Ａ、タッチパッド１６、指紋センサ２０、パワーＬＥＤ２１、指紋センサインジケータＬＥＤ２２、および認証可否通知ＬＥＤ２３などが配置されている。
【００１４】
指紋センサ２０は、ユーザが指紋センサ２０をスワイプして指紋を登録することで使用可能となる。また指紋センサ２０は、コンピュータ１０の起動時の認証（イメージングモード）やソフトウェア上でのスクロール（ナビゲーションモード）等に用いられる。パワーＬＥＤ２１は、コンピュータ１０の電源のオン・オフを示すインジケータである。指紋センサインジケータＬＥＤ２２は、指紋センサ２０が動作しているか否かを示す。例えばＬＥＤの色（例えばグリーンおよびレッド）や点滅等で表示する。認証可否通知ＬＥＤ２３は、指紋センサ２０を用いて認証を行った場合に、認証が照合されたか否か（認証の可否）を示す。例えばＬＥＤの色（例えばグリーンおよびレッド）や点滅等で表示する。
【００１５】
次に、図２を参照して、本コンピュータ１０のシステム構成について説明する。
【００１６】
本コンピュータ１０は、図２に示されているように、ＣＰＵ１１１、ノースブリッジ１１２、（主）メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、エンベデッドコントローラ／キーボードコントローラＩＣ（ＥＣ／ＫＢＣ）１２４、パワーＬＥＤ２１、指紋コントローラＩＣ（判別部、制御部）２５、指紋センサＩＣ２４、指紋センサインジケータＬＥＤ（第１の表示部）２２、認証可否通知ＬＥＤ（第２の表示部）２３、電源コントローラ１２３、電源回路１２６、およびＡＣアダプタ１２７等を備えている。
【００１７】
ＣＰＵ１１１は、本コンピュータ１０の動作を制御するために設けられたプロセッサであり、ハードディスクドライブ（ＨＤＤ）１２１からメモリ１１３にロードされる、オペレーティングシステム（ＯＳ）および指紋認証ユーティリティ２００等の各種アプリケーションプログラムを実行する。
【００１８】
また、ＣＰＵ１１１は、ＢＩＯＳ−ＲＯＭ１２０に格納されたシステムＢＩＯＳ（Basic Input Output System）を読み出して実行する。システムＢＩＯＳはハードウェア制御のためのプログラムである。
【００１９】
ノースブリッジ１１２はＣＰＵ１１１のローカルバスとサウスブリッジ１１９との間を接続するブリッジデバイスである。ノースブリッジ１１２には、メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２０】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた画像データからＬＣＤ１７に送出すべき表示信号を生成する。
【００２１】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、指紋コントローラＩＣ２５を制御する機能、およびＢＩＯＳ−ＲＯＭ１２０を制御するための機能も有している。
【００２２】
ＨＤＤ１２１は、各種ソフトウェア及びデータを格納する記憶装置である。光ディスクドライブ（ＯＤＤ）１２２は、ビデオコンテンツが格納されたＤＶＤなどの記憶メディアを駆動するためのドライブユニットである。
【００２３】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０を電源オン／オフする機能を有している。
【００２４】
指紋コントローラＩＣ２５は、指紋センサ２０が備える指紋センサＩＣ２４から入力されたユーザの指紋情報を認証する処理を行う。また指紋コントローラＩＣ２５は、指紋センサインジケータＬＥＤ２２および認証可否通知ＬＥＤ２３の表示形態を変化させる処理を行う。指紋センサインジケータＬＥＤ２２および認証可否通知ＬＥＤ２３の表示形態を変化させる場合は、例えば、表示色をグリーンやレッドに変化させたり、点滅を行わせたりする処理を行う。また、指紋センサインジケータＬＥＤ２２および認証可否通知ＬＥＤ２３を備えていないパーソナルコンピュータにおいては、パワーＬＥＤ２１の表示形態を変化させる表示を行うこともできる（後述：図６参照）。
【００２５】
次に、本発明の一実施形態に係る情報処理装置の指紋コントローラＩＣ２５について図３を参照して説明する。図３は指紋コントローラＩＣ２５の構成について示したブロック図である。
【００２６】
指紋コントローラＩＣ２５は、制御部３０、Ｉ／Ｆ（インターフェース）部３１、ＧＰＩＯ（General Purpose Input/Output）３２、不揮発性であるフラッシュメモリ部３３を備えている。また、フラッシュメモリ部３３はユーザの指紋データ、及び指紋認証アルゴリズムが組み込まれたファームウェアが実装されている。さらに、指紋コントローラＩＣ２５は、例えばＵＳＢコントローラを備えており、指紋センサＩＣ２４とはＵＳＢで接続されている。制御部３０は、Ｉ／Ｆ部３１を介して入力されたユーザの指紋データの照合等を行う。Ｉ／Ｆ部３１は、指紋センサＩＣ２４から入力されたユーザの指紋データを制御部３０に送信する。ＧＰＩＯ（General Purpose Input/Output）３２は、汎用入出力ポートであり、制御部３０からの要求に応じて、指紋センサインジケータＬＥＤ２２および認証可否通知ＬＥＤ２３の制御（ＬＥＤの点灯、点滅、消灯等）を行う。フラッシュメモリ部３３は、ＬＥＤ（指紋センサインジケータＬＥＤ２２および認証可否通知ＬＥＤ２３）の点灯パターン情報（後述：図５、図６参照）、ユーザの指紋データ等を記憶する。
【００２７】
また、指紋センサＩＣ２４からのウェイク通知信号（例えば、ユーザがスワイプする等の信号）が指紋コントローラＩＣ２５およびＥＣ／ＫＢＣ１２４を経由してウェイク要求をシステムに通知している。また、指紋コントローラＩＣ２５は、コンピュータ１０のシステムステート（以下、ステートとも称する）がＳ０（コンピュータ１０が起動しているとき）またはＳ３、Ｓ４、Ｓ５（コンピュータ１０がスタンバイ等で起動していないとき）であるか否かの情報をＥＣ／ＫＢＣ１２４を経由してシステムから受信している。具体的には、ステートがＳ０である場合のみ有効であるＥＣ／ＫＢＣ１２４から指紋センサＩＣ２４への電源ラインを用いて、この電源ラインによる電力の供給が途切れるとＳ３、Ｓ４、Ｓ５であるとして判別を行っている。
【００２８】
指紋認証ユーティリティ２００は、指紋コントローラＩＣ２５から指紋待ち受け（イメージングモード）状況を通知する信号を受信し、この信号を用いて指紋センサインジケータＬＥＤ２２を動作（点灯、点滅等）させている。また、指紋認証ユーティリティ２００は、指紋コントローラＩＣ２５から認証可否を通知する信号を受信し、この信号を用いて認証可否通知ＬＥＤ２３を動作（点灯、点滅等）させている。なお、指紋センサインジケータＬＥＤ２２および認証可否通知ＬＥＤ２３の動作方法は、上述した方法に限定されるものではなく、指紋センサインジケータＬＥＤ２２および認証可否通知ＬＥＤ２３の動作が可能であれば方法は問わない。
【００２９】
次に、以上のように構成された情報処理装置を適用した表示制御手順の概要について図４のフローチャートを参照して説明する。
【００３０】
まず、ユーザが指紋センサ２０を指でスワイプする（ユーザの指の指紋を指紋センサ２０に読み取らせる）ことによって、ユーザの指紋を例えば指紋認証ユーティリティ２００を経由して指紋センサＩＣ２４のフラッシュメモリ部３３に登録する（ステップＳ１０１）。この登録がされると、指紋認証ユーティリティ２００は、認証待ち受けの設定をＯＮ（アクティブ）に設定する。指紋センサ２０は、認証待ち受けの設定がＯＮの場合にスワイプ動作が入力されると、指紋認証処理を行う。また、指紋センサ２０は、認証待ち受けの設定がＯＦＦの場合に、スワイプ動作が入力されると画面のスクロール等を行う。
【００３１】
続いて、指紋認証ユーティリティ２００は、認証待ち受け（イメージングモード）の設定がＯＮであるか否かを判別する（ステップＳ１０２）。ステップＳ１０２で指紋認証ユーティリティ２００によって指紋センサ２０が認証待ち受けの設定がＯＮでない（認証待ち受けの設定がＯＦＦである）と判別されると（ステップＳ１０２のＮＯ）、指紋センサインジケータＬＥＤ２２を例えばオレンジに点灯させる（ステップＳ１０６：図５参照）。この状態においては、認証待ち受け（イメージングモード）以外のモード（ナビゲーションモードなど）であり、指紋センサ２０を用いて画面のスクロール等の動作を行う。一方、ステップＳ１０２で指紋認証ユーティリティ２００によって指紋センサ２０の認証待ち受けの設定がＯＮであると判別されると（ステップＳ１０２のＹＥＳ）、指紋認証ユーティリティ２００は、現在のコンピュータ１０のステートを判別する（ステップＳ１０３）。ステップＳ１０３で指紋認証ユーティリティ２００によって現在のコンピュータ１０のステートがＳ０であると判別されると（ステップＳ１０３のＳ０）、指紋認証ユーティリティ２００は、指紋認証待ち受け状態か否かを判別する（ステップＳ１０４）。指紋認証待ち受け状態であるか否かの判別は、例えば、指紋センサ２４等に電源が供給されているか否か等によって判別する。すなわち、指紋センサ２４等に電源が供給されていれば、指紋認証待ち受け状態であると判別する。ステップＳ１０４で指紋認証ユーティリティ２００によって、指紋認証待ち受け状態でないと判別された場合（ステップＳ１０４のＮＯ）、指紋センサインジケータＬＥＤ２２を例えばオレンジに点灯させる（ステップＳ１０６：図５参照）。一方、ステップＳ１０４で指紋認証ユーティリティ２００によって、指紋認証待ち受け状態であると判別された場合（ステップＳ１０４のＹＥＳ）、指紋認証ユーティリティ２００は、Ｌｉｄ  Ｏｐｅｎ（コンピュータ１０のディスプレイユニット（蓋部）１２が開いている状態）か否かを判別する（ステップＳ１０５）。ステップＳ１０５で指紋認証ユーティリティ２００によってＬｉｄ  Ｏｐｅｎであると判別された場合（ステップＳ１０５のＹＥＳ）、指紋センサインジケータＬＥＤ２２を例えばグリーンに点灯させる（ステップＳ１０７：図５参照）。
【００３２】
一方、ステップＳ１０５で指紋認証ユーティリティ２００によってＬｉｄ  Ｏｐｅｎでない（コンピュータ１０のディスプレイユニット（蓋部）１２が閉じている状態）と判別された場合（ステップＳ１０５のＮＯ）、指紋センサインジケータＬＥＤ２２を例えばオレンジに点灯させる（ステップＳ１０６：図５参照）。また、ステップＳ１０３で指紋認証ユーティリティ２００によって現在のコンピュータ１０のステートがＳ３、Ｓ４、Ｓ５のいずれかであると判別されると（ステップＳ１０３のＳ３、Ｓ４、Ｓ５）、ステップＳ１０５に遷移する。
【００３３】
上述したように、指紋センサ２０の認証待ち受け設定の状態、指紋センサ２０の認証待ち受けの状態、およびコンピュータ１０のディスプレイユニット（蓋部）１２の開閉状態に応じて指紋センサインジケータＬＥＤ２２の点灯色等を変化させている。また、指紋センサインジケータＬＥＤ２２を搭載していないコンピュータ等においては、図６に示すように、例えばコンピュータ１０のパワーＬＥＤ２１を用いて、指紋センサ２０の認証待ち受け設定の状態、指紋センサ２０の認証待ち受けの状態、およびコンピュータ１０のディスプレイユニット（蓋部）１２の開閉状態に応じて変化させる。例えば、通常モード（指紋認証待ち受け非設定時）である場合、ステートＳ０であれば例えばパワーＬＥＤ２１をグリーンに点灯し、ステートＳ３であれば、例えばパワーＬＥＤ２１をオレンジに明滅（ゆっくりと点滅）させる。ステートＳ４、Ｓ５であれば例えばパワーＬＥＤ２１を消灯する。なお、ステートＳ５時に異常を検知した場合は、例えばパワーＬＥＤ２１を点滅させる。また、指紋認証待ち受け設定時である場合、ステートＳ０であれば例えばパワーＬＥＤ２１をグリーンとオレンジを１０秒ごとに切り替えるように点灯し、ステートＳ３、Ｓ４、Ｓ５であれば例えばパワーＬＥＤ２１を消灯する。
【００３４】
次に、上述したようにユーザが指紋センサ２０を用いて指紋データを登録した後に、コンピュータ１０の起動時に指紋認証を行う場合（ワンスワイプパワーオン認証）の処理について図７のフローチャートを参照して説明する。
【００３５】
指紋認証ユーティリティ２００は、指紋センサインジケータＬＥＤ２２がグリーンであるか否かを判別する（ステップＳ２０１）。ステップＳ２０１で指紋認証ユーティリティ２００によって、指紋センサインジケータＬＥＤ２２がグリーンであると判別されると、指紋認証ユーティリティ２００は、現在のコンピュータ１０のステートを判別する（ステップＳ２０２）。ステップＳ２０２で指紋認証ユーティリティ２００によって現在のコンピュータ１０のステートがＳ０であると判別されると（ステップＳ２０２のＳ０）、処理を終了する。一方、ステップＳ２０２で指紋認証ユーティリティ２００によって現在のコンピュータ１０のステートがＳ３、Ｓ４、Ｓ５であると判別されると（ステップＳ２０２のＳ３、Ｓ４、Ｓ５）、指紋認証ユーティリティ２００は、指紋認証による認証の判定がＯＫ（適合）か否かを判別する（ステップＳ２０３）。ステップＳ２０３で指紋認証ユーティリティ２００によって、指紋認証による認証の判定がＯＫである判別されると（ステップＳ２０３のＹＥＳ）、認証可否通知ＬＥＤ２３を例えばグリーンに１秒点灯させ（ステップＳ２０４：図５参照）、コンピュータ（ＰＣ）１０を起動させる（ステップＳ２０５）。一方、ステップＳ２０３で指紋認証ユーティリティ２００によって、指紋認証による認証の判定がＯＫでない（不適合）判別されると（ステップＳ２０３のＮＯ）、認証可否通知ＬＥＤ２３を例えばオレンジに１秒点灯させ（ステップＳ２０６：図５参照）、コンピュータ（ＰＣ）１０の起動は行わない。
【００３６】
上述したように、指紋センサ２０の認証の合否に応じて認証可否通知ＬＥＤ２３の点灯色を変化させている。また、認証可否通知ＬＥＤ２３を搭載していないコンピュータ等においては、図６に示すように、コンピュータ１０のパワーＬＥＤ２１を用いて、指紋センサ２０の認証の合否に応じて認証可否通知ＬＥＤ２３を変化させる。例えば、ステートＳ０、Ｓ３、Ｓ４、Ｓ５の場合で認証に適合した場合であれば、例えばパワーＬＥＤ２１をグリーンに点滅（０．５秒をＯＮ、０．５秒ＯＦＦを１０回繰り返す）させ、認証に不適合な場合であれば例えばパワーＬＥＤ２１をオレンジに点滅（０．５秒をＯＮ、０．５秒ＯＦＦを１０回繰り返す）させる。
【００３７】
上述した実施形態によれば、指紋センサの動作の可否を視認可能に表示することでユーザの利便性を向上させることができる。すなわち、コンピュータ１０が起動していないＳ３、Ｓ４、Ｓ５ステートである場合に指紋センサ２０を使用できる状態となるが、Ｓ３、Ｓ４、Ｓ５ステートの状態ではＬＣＤ１７等の表示デバイスを使用できないため、ＬＥＤを用いて指紋センサ２０がアクティブであるか、及び指紋認証が成功したか失敗したかを知らせることを可能とすることでユーザは指紋センサ２０の動作状況を把握することが容易となる。また、専用の表示部を備えていない機器においても標準的に備えているパワーＬＥＤ等を用いて表示を行うことができる。
【００３８】
なお、本実施形態の制御処理の手順は全てソフトウェアによって実現することができるので、この手順を実行するプログラムをコンピュータ読み取り可能な記憶媒体を通じて、コンピュータにインストールするだけで、本実施形態と同様の効果を容易に得ることができる。
【００３９】
また、本発明は、上述した実施形態そのままに限定されるものではない。本発明は、実施段階では、その要旨を逸脱しない範囲で構成要素を変更して具現化できる。
【００４０】
さらに、上述した実施形態に開示されている複数の構成要素を適宜に組み合わせることで、種々の発明を形成できる。例えば、実施形態に示される全構成要素から幾つかの構成要素を削除してもよい。更に、異なる実施形態にわたる構成要素を適宜組み合わせてもよい。
【符号の説明】
【００４１】
１０…コンピュータ、１２…ディスプレイユニット、１４…電源ボタン、１７…ＬＣＤ、２０…指紋センサ、２１…パワーＬＥＤ、２２…指紋センサインジケータＬＥＤ、２３…認証可否通知ＬＥＤ、２４…指紋センサＩＣ、３０…制御部、３１…Ｉ／Ｆ部、３２…ＧＰＩＯ、３３…フラッシュメモリ部、１１１…ＣＰＵ、１１３…（主）メモリ、１１４…グラフィックスコントローラ、１２０…ＢＩＯＳ−ＲＯＭ、１２１…ＨＤＤ、１２４…ＥＣ／ＫＢＣ、２００…指紋認証ユーティリティ
【図１】
2010102718.tif 000003
【図２】
2010102718.tif 000004
【図３】
2010102718.tif 000005
【図４】
2010102718.tif 000006
【図５】
2010102718.tif 000007
【図６】
2010102718.tif 000008
【図７】
2010102718.tif 000009